(57)【要約】【課題】  パチンコ玉の流下管および流下玉を貯留するタンクについて、玉の打撃に起因する損耗を防止する。【解決手段】  島端に配設されるパチンコ玉自動補給装置のエンドホース２０の下端部を、主ホース３５からの落下玉を受ける衝撃緩衝材料からなる玉受部３８と、一側が開放された水平な玉流通路４１と、玉流通路４１に設けた開口４２から垂下する副ホース４３と、その下方に配設した玉受皿４７とによって構成する。また、貯留タンク２３の内部に、玉流通路４１の開放された一側に隣接させて転動レール５３を設ける。パチンコ玉Ｐは、まず受皿部５２に滞留し、後続の玉はその上に落下する。溢れ出たパチンコ玉Ｐがタンク底板２５を埋め、副ホース４３を塞ぐほどパチンコ玉Ｐが貯留されると、玉流通路４１の一側より流出して、転動レール５３を伝っていく途中で、タンク内に貯留する玉の上に落下する。【選択図】  図３
2008142215.tif 000002
【特許請求の範囲】
【請求項１】
パチンコ玉の自動補給装置に組み込まれて流下するパチンコ玉の循環路を構成するパチンコ玉流下管であって、
パチンコ玉が流下する主流下管と、
前記主流下管を流下するパチンコ玉を受け止めて一方向に流出させる開放部を有する玉受部と、
前記玉受部より流出するパチンコ玉の通路として略水平に配設され、かつ少なくともこの通路の一側が開放された玉流通路と、
前記玉流通路の流出方向前方に設けた開口よりさらにパチンコ玉を流下させる副流下管と
を備えたことを特徴とするパチンコ玉流下管。
【請求項２】
前記副流下管の下方には、該副流下管の下端との間にパチンコ玉が溢れ出るだけの間隙を有して玉受皿が配設されていることを特徴とする請求項１に記載のパチンコ玉流下管。
【請求項３】
請求項１または請求項２に記載のパチンコ玉流下管を介して排出されるパチンコ玉を受け入れる貯留タンクであって、
底板を所定方向の下り傾斜に形成したタンク本体と、
前記タンク本体の幅より幅狭の平板状に形成して該タンク本体の中空部に所定方向の下り傾斜を有して架設するとともに、前記玉流通路の開放された一側に隣接させて配設したパチンコ玉の転動レールと、
を備えたことを特徴とする貯留タンク。
【発明の詳細な説明】
【技術分野】
【０００１】
本発明は、パチンコ玉の自動補給装置を構成するパチンコ玉流下管およびこのパチンコ玉流下管を通じて流下するパチンコ玉を受け入れる貯留タンクに関する。
【背景技術】
【０００２】
周知のように、パチンコ玉の自動補給装置は、パチンコ島内に組み込まれ、パチンコ玉を循環させながらパチンコ機や玉貸出機に対してパチンコ玉を自動供給する装置である。この自動補給装置は、たとえば、パチンコ島の下部に設置された貯留タンクからパチンコ玉を揚送するための揚送手段、揚送されたパチンコ玉を各パチンコ機や玉貸出機に配給するためにパチンコ島の上部に設けられる補給手段、揚送されたものの余剰玉としてオーバーフローするパチンコ玉を流下させるときの通路となるパチンコ玉流下管、配給に使用されないまま補給手段の端部よりパチンコ玉を流下させるときの通路となるパチンコ玉流下管、これらのパチンコ玉流下管や、各パチンコ機から排出されるパチンコ玉を貯留タンクに回収して揚送手段に送り込むためにパチンコ島の下部に設けられる回収手段などによって構成されている。
【０００３】
このようなパチンコ玉の自動補給装置では、多量のパチンコ玉がかなり速いスピードで循環する。そして、循環経路中の段差部や曲折部などでは、循環経路の構成部材とパチンコ玉との衝突や、跳ね返ったパチンコ玉同士の衝突などに起因する騒音の発生、および循環経路形成部材の損耗が問題となる。殊に、パチンコ島の上部と下部とを連絡するパチンコ玉流下管の装着箇所では落差が大きいだけに、騒音や損耗の度合いが激しくなる。特許文献１には、このような問題の解決を意図した技術が開示されている。
【０００４】
すなわち、オーバーフローホース（パチンコ玉流下管）の下端部分に、オーバーフローホースの内周面に沿って螺旋状の減速部を備えた玉減速部材を配置するとともに、オーバーフローホースの下端開放部にたとえばゴムやポリウレタンなどの落下玉の衝撃を吸収し得る材料からなる玉受部材を嵌合させて固定する。さらに、パチンコ玉が転動可能な上面を有するとともにこの上面を所定方向に向けて緩やかに下り傾斜させた板状部材によって構成した貯留均等化手段を玉貯留タンクに設ける。そして、オーバーフローホース下端部の玉流出開口を貯留均等化手段の上面の下り傾斜方向に向けた状態で、オーバーフローホースを貯留均等化手段上に配置し、玉流出開口から流出したパチンコ玉を、貯留均等化手段の上面の下り傾斜方向に沿って転動させるようにする。板状部材の上面に流出したパチンコ玉は、流出時の流出方向のいかんによって、あるいは流下途中で他の玉との衝突によって弾かれた方向のいかんによって、板状部材の側縁から自由に落下する玉もあれば、傾斜下端まで転動する玉も出現する。その結果、パチンコ玉は、玉貯留タンクに均等化された状態で貯留されるようになる。
【０００５】
【特許文献１】特開平１１−２３５４５９号公報（図１０参照）
【発明の開示】
【発明が解決しようとする課題】
【０００６】
特許文献１に記載の貯留均等化手段は、パチンコ玉を貯留タンクの全長に亘って均等に貯留することができるとするものであるが、オーバーフローホースの直下部分についてはパチンコ玉が落下しにくい構造となっており、貯留タンクの全スペースが貯留のために有効に利用されているとは言えない。また、貯留均等化手段である板状部材の側縁から自由に落下する玉は、落下点となる貯留タンクの底板を打撃して満遍なく損耗させることとなる。本発明の目的は、このような損耗の予防を図るとともに、貯留スペースをより有効に利用することのできるパチンコ玉流下管および貯留タンクを提供することにある。
【課題を解決するための手段】
【０００７】
本発明は、上記の如き課題に鑑みなされたもので、請求項１に記載の発明は、パチンコ玉の自動補給装置に組み込まれて流下するパチンコ玉の循環路を構成するパチンコ玉流下管であって、パチンコ玉が流下する主流下管と、前記主流下管を流下するパチンコ玉を受け止めて一方向に流出させる開放部を有する玉受部と、前記玉受部より流出するパチンコ玉の通路として略水平に配設され、かつ少なくともこの通路の一側が開放された玉流通路と、前記玉流通路の流出方向前方に設けた開口よりさらにパチンコ玉を流下させる副流下管とを備えたことを特徴とするパチンコ玉流下管である。
【０００８】
このような構成によって、玉受部にて一旦受け止められた流下パチンコ玉は、玉流通路に放出されたのち、その大多数が玉流通路の流出方向前方に設けた開口まで転動して、この開口から流下する。これらのパチンコ玉は、貯留タンクの底板に向かって落下することになるが、開口から副流下管を通じての落下による底板への打撃は、落差が小さいだけに緩和される。そののち、パチンコ玉は、貯留タンクの底面を敷き詰めるように貯留されていき、やがて、増加したパチンコ玉によって玉の流れが鈍ってくると、副流下管の近傍に滞るようになる。さらにこのようなパチンコ玉が堆積して、副流下管の開口から溢れるほどとなった場合は、玉流通路に放出された全てのパチンコ玉が、玉流通路の開放された一側から流出するようになる。しかしながらこの時点では、貯留タンクの底板はすでに一面がパチンコ玉で敷き詰められた状態にあるので、前記開放された一側から流出したパチンコ玉は、これらの貯留されたパチンコ玉の上に落下することとなり、その結果、貯留タンクの底板を直撃することから回避でき、底板の損耗の予防が図られる。
【０００９】
請求項２に記載の発明は、前記副流下管の下方には、該副流下管の下端との間にパチンコ玉が溢れ出るだけの間隙を有して玉受皿が配設されていることを特徴とする請求項１に記載のパチンコ玉流下管である。
【００１０】
このような構成によって、落差が小さくパチンコ玉の落下衝撃の緩和された副流下管部についても、さらに貯留タンクの底板に対する直撃から回避されることとなる。副流下管を流下したパチンコ玉は、補給装置稼動の最初のうちは玉受皿に滞留するが、滞留したパチンコ玉によって玉受皿が一杯となったあとは、これらの滞留したパチンコ玉の上に後続のパチンコ玉が落下するようになる。そして、玉受皿から溢れ出すパチンコ玉は、貯留タンクの底板に打撃を加えることなく、流れるように底面に広がっていく。その結果、玉受皿に対しても、貯留タンクに対しても、損耗の予防が図られることとなる。
【００１１】
請求項３に記載の発明は、請求項１または請求項２に記載のパチンコ玉流下管を介して排出されるパチンコ玉を受け入れる貯留タンクであって、底板を所定方向の下り傾斜に形成したタンク本体と、前記タンク本体の幅より幅狭の平板状に形成して該タンク本体の中空部に所定方向の下り傾斜を有して架設するとともに、前記玉流通路の開放された一側に隣接させて配設したパチンコ玉の転動レールとを備えたことを特徴とする貯留タンクである。
【００１２】
既述のように、貯留タンクに貯留されるパチンコ玉は、タンク底面での貯留に始まり、次には主にパチンコ玉流下管の副流下管近傍に堆積する。すなわち、貯留タンクの下り傾斜を有する底板の上流側から先に堆積されることとなる。副流下管近傍のパチンコ玉の堆積が進めば、やがて副流下管が満杯となり、玉流通路の開放された一側からしか流出できない状況となる。このような場合、前記一側より流出するパチンコ玉は、転動レールの上を転がることになる。転動レール上のパチンコ玉は、不規則に動いて転動レールの側縁から転落する。その落下位置が一様でないことから、貯留タンクの下流側が均されるようにパチンコ玉で埋まる。その結果、貯留タンク内のスペースが、上流から下流まで有効に利用されることとなる。また、この時点では、タンク内の底面は玉受皿から溢れ出したパチンコ玉ですでに埋まっているので、転動レールから落下するパチンコ玉が貯留タンクの底板を直撃することがなく、それ故、貯留タンクの損耗が予防できる。
【発明の効果】
【００１３】
本発明のパチンコ玉流下管は、パチンコ玉の落下衝撃が小さい状態のなかでパチンコ玉を一旦貯留したのちは、これらの貯留されたパチンコ玉の上に後続のパチンコ玉が流下するように形成したことから、流路を構成する部材をパチンコ玉が直接打撃することから回避でき、流路を構成する部材の損耗を予防することができる。同時に騒音も低減される。貯留タンクでは、パチンコ玉の流れの上流側での堆積に始まり、そののち下流に貯留が及ぶので、貯留タンクの下流にパチンコ玉の貯留が偏るということが防げる。
【発明を実施するための最良の形態】
【００１４】
次に、本発明の実施の一形態について、図を参照しながら説明する。なお、図１は、パチンコ島の外観を示す正面図である。図２は、本発明パチンコ玉流下管の下部斜視図である。図３は、本発明パチンコ玉流下管および貯留タンクの使用状態の一場面を表わす斜視図である。図４は、使用状態の他の一場面を表わす斜視図である。
【００１５】
図１に例示するパチンコ島１０は、複数のパチンコ機１１と台間玉貸出機１２とを並置し、図では明らかでないが、さらにそれらを背向配置して表裏両面からゲームを行うことができるようにした両面島として形成されたものである。パチンコ島１０の両端は妻板１３によって閉塞され、妻板１３の一方には、玉計数機１４が、その背面を妻板１３に当接するように設置されている。さらにパチンコ島１０には、パチンコ玉を循環させながらパチンコ機１１や玉貸出機１２にパチンコ玉を自動補給する装置が組み込まれている。この自動補給装置は、以下の如き装置類によって構成されている。
【００１６】
すなわち、パチンコ島１０の中央部には、揚送研磨塔１５が立設されるとともに、その上部に上部貯留タンク１６が配設されている。そして、揚送研磨塔１５内には、パチンコ玉を研磨しながら揚送する揚送研磨装置１７が収容されている。また、上部貯留タンク１６からは、パチンコ島１０の左右両翼に沿って、上部貯留タンク１６から送出されるパチンコ玉を各パチンコ機１１や玉貸出機１２に供給するための補給樋１８が、パチンコ玉が転動する緩やかな下り勾配を有して延設されている。この補給樋１８は、両面島の表裏両側に設けた幕板１９によって、外部から隠蔽されている。
【００１７】
パチンコ島１０の両端部には、補給樋１８の下端部と連通してパチンコ玉を島の下部へと還流させるためのエンドホース２０（パチンコ玉流下管）が配設されている。また、揚送研磨塔１５の両脇には、補給樋１８に流出することなく貯留され溢れ出たパチンコ玉を下部に逃がすためのオーバーフローホース２１（パチンコ玉流下管）が配設されている。そして、これらのホース２０，２１より流下するパチンコ玉は、下部に配設された回収貯留手段に受け入れられる。さらに、遊技客によって各パチンコ機１１に投入されて落下するパチンコ玉も、下部回収貯留手段に受け入れられる。また、遊技客が計数のために玉計数機１４に投入したパチンコ玉も、計数後には、玉計数機１４の背後に設けた排出口２２を通じて下部回収貯留手段に戻される。
【００１８】
本実施例における上記の下部回収貯留手段は、詳しくは、エンドホース２０を流下するパチンコ玉を貯留する第１下部貯留タンク２３と、第１下部貯留タンク２３から送られてくるパチンコ玉およびオーバーフローホース２１を流下するパチンコ玉を受け入れて貯留する第２下部貯留タンク２４の片翼２槽のタンク構造としている。
【００１９】
第１下部貯留タンク２３の底板２５は、島の中央に向かう緩やかな下り勾配を有して形成されている。そして、下り勾配によって最下部に寄せ集められたパチンコ玉は、バケット式のリフター２６によって上方に汲み上げられて、同じように緩やかな下り勾配に形成された樋状をなすアウトレール２７に放出される。放出されたパチンコ玉は、アウトレール２７内の傾斜面を転動して、第２下部貯留タンク２４に送出される。したがって、各パチンコ機１１に投入されて落下するパチンコ玉は、具体的には、下部回収貯留手段を構成する貯留タンク２３，２４およびアウトレール２７のいずれかに受け止められることとなる。そして、パチンコ島１０の下部は、両面島の表裏両側に設けた図示しない腰板によって外部から隠蔽されている。なお、このような２槽式のタンク構造とした理由は、パチンコ島１０の長さが長い場合に、リフター２６による揚送なしには、第１下部貯留タンク２３などの底板２５部でパチンコ玉の転動に必要な勾配が確保できないからである。また、状況によっては３槽以上にタンクを連ねることもあり、この場合には、補給樋１８の中間部にもパチンコ玉流下管が適宜付設される。
【００２０】
パチンコ玉の循環機構について、さらに詳しく説明する。揚送研磨装置１７の最下部には導入樋２８が付設されており、その両端部は、第２下部貯留タンク２４の底板２５の最下端と連通している。この導入樋２８は、第２下部貯留タンク２４から送出されるパチンコ玉を中央部に集合させ、内部に形成された整列溝でもって整列させてから、揚送研磨装置１７の揚送研磨機構に送り込むものである。揚送研磨機構は、上下２本の水平ローラ間に張架された平ベルトからなる無端ベルト２９と、蝶番によって手前方に開閉自在に装着された揚送研磨塔１５の前扉（図示せず）とが、前扉を閉じた状態において所定の間隙を有して対面するように構成されている。前扉の裏面には、多数の縦溝からなる研磨溝が条設され、さらにこの研磨溝部を覆うように研磨布が装着されている。パチンコ玉は、下から上へと周回する無端ベルト２９の表面と、研磨布を介した研磨溝とによって挟持されながら上方へ搬送される。パチンコ玉は、この揚送途中で研磨布によって汚れが拭い取られて、揚送研磨装置１７の上部にて放出される。
【００２１】
放出されたパチンコ玉は、上部貯留タンク１６に貯留される。この上部貯留タンク１６の底部は、パチンコ島１０の両翼に向かって下り傾斜を有する補給玉分流底板３０によって形成されており、タンク内に貯留されるパチンコ玉を左右に振り分ける。補給玉分流底板３０の両端部は補給樋１８と連通しており、上部貯留タンク１６から流れ出たパチンコ玉は、補給樋１８を下流へと向かう。補給樋１８には、各パチンコ機１１や玉貸出機１２に対応させた補給シュート３１が付設されており、下流に向かう途中のパチンコ玉を取り込んで整列させ、補給シュート３１に接続されている図示しない補給パイプを通じて、対応するパチンコ機１１の内蔵タンクや、玉貸出機１２内部のホッパータンクに供給する。一方、補給玉として利用されなかったパチンコ玉は、補給樋１８の下端部まで転動したのち、エンドホース２０を通じて第１下部貯留タンク２３に向かって流下する。
【００２２】
また、上部貯留タンク１６の内部には、オーバーフロー玉取込管３２が、その取込口３３を上方に向けて下方から突設されている。すなわち、上部貯留タンク１６のパチンコ玉貯留容量は、取込口３３の高さ位置によって決定される。パチンコ玉の流入量が流出量を上回り、上部貯留タンク１６のパチンコ玉貯留量が取込口３３を越えるようになると、オーバーフロー玉取込管３２の中へと落下する。オーバーフロー玉取込管３２の直下には、パチンコ島１０の左右両翼に向かって下り傾斜を有するオーバーフロー玉分流樋３４が配設され、その両端部はオーバーフローホース２１に連通している。オーバーフロー玉取込管３２より流下したパチンコ玉は、オーバーフローホース２１を通じて第２下部貯留タンク２４に流下して貯留される。
【００２３】
本発明のパチンコ玉流下管および貯留タンクは、エンドホース２０と第１下部貯留タンク２３、あるいはオーバーフローホース２１と第２下部貯留タンク２４などのように、パチンコ玉の打撃による消耗が起きやすいパチンコ玉流下管と貯留タンクとが関係する部分について適用することができるが、本実施例では、パチンコ玉の流下量の多いエンドホース２０に関わる部分に代表させて、まず図２に基づいて説明する。
【００２４】
図２において、エンドホース２０（パチンコ玉流下管）の主要な構成部品である主ホース３５（主流下管）の下端部は、段付き箱状体をなすケース３６の最上面に設けた開口３７よりケース３６の内部に覗くように配設されている。この主ホース３５のさらに下方には、ゴムやポリウレタンなどの衝撃緩衝材料からなる平板をＵ溝状に曲折させた玉受部３８が、ケース３６と当て板３９とに挟まれる形でネジにて止着されている。そして、主ホース３５の下端部は、当て板３９の切欠部に絡めたバンド４０によって締付固定されている。玉受部３８は、補給樋１８から流下するパチンコ玉の落下先となるものだが、衝撃緩衝材料によって形成した玉受部３８が落下の衝撃を和らげるので、騒音を低減させるとともに、ケース３６へのパチンコ玉の直撃を回避して損耗を予防する。なお、主ホース３５が劣化した場合や、仕様の異なるパチンコ島に設置する場合などは、バンド４０を緩めれば、適切な主ホース３５に容易に交換することができる。
【００２５】
ケース３６の一側面、および段付き箱状体の上段前方立設面には壁が形成されず、開放された状態にある。また、ケース３６の底面は、玉流通路４１として略水平に形成されている。Ｕ溝状に形成した玉受部３８の開放部は、この玉流通路４１に向かって配設されている。玉流通路４１の玉流出方向前方には開口４２が設けられ、この開口４２の下方に管状部が突設されている。そして、この管状部に副ホース４３（副流下管）が嵌合され、バンド４０によって外周側から管状部に締付固定されている。また、玉受部３８の開放部前方には衝撃緩衝材料からなる衝撃緩衝板４４が吊着され、ケース３６の上段前方立設面にも同様の衝撃緩衝板４５が吊着されている。これは、衝撃緩衝板４４，４５を用いなかった場合に起きるパチンコ玉の跳ね返りによる騒音や、ケース３６へのパチンコ玉の打撃を防止するものである。なお、玉流通路４１にも衝撃緩衝板４６が敷かれている。さらに、後述する玉受皿や貯留タンクの内面、転動レールの上面なども衝撃緩衝板の貼着でもってパチンコ玉の打撃から保護されているが、以後の図や説明からは省略する。
【００２６】
副ホース４３の下端部は、外観コ字状をなす玉受皿４７の天板４８に設けた開口４９に自由端となる状態で差し込まれている。玉受皿４７は、傾斜面に倣って載置され、また高さ位置についても若干の融通がきくようにするために、副ホース４３と玉受皿４７とは固着されないのである。また、副ホース４３が劣化した場合や、仕様の異なるパチンコ島に設置する場合などは、バンド４０を緩めれば、適切な副ホース４３に容易に交換することができる。そして、玉受皿４７は、その側板５０に穿設した取付穴５１を介して、タンクの側壁にネジ止め固定される。また、玉受皿４７下部の受皿部５２は、その底部に少なくとも一層のパチンコ玉を滞留させるだけの深さを有している。さらに、副ホース４３の下端部と受皿部５２との間は、受皿部５２よりパチンコ玉が溢れ出ることのできる間隙を持って形成されている。
【００２７】
次に、図３に示すように、玉受皿４７は、第１下部貯留タンク２３の底板２５上に、傾斜に倣って載置される。そして、エンドホース２０は、玉受皿４７の天板４８に設けた開口４９に副ホース４３の下端部を差し入れた状態で設置される。さらに、第１下部貯留タンク２３の中空部には、転動レール５３が架設されている。この転動レール５３は、第１下部貯留タンク２３のタンク本体の幅より幅狭の平板状に形成され、タンクの底板２５と同様の下り勾配を有し、かつその上部一側が、玉流通路４１の開放された一側と隣接した状態に配設される。
【００２８】
ところで図３は、第１下部貯留タンク２３にパチンコ玉Ｐが貯留される初期の段階を表している。補給樋１８の端部よりエンドホース２０の主ホース３５を流下するパチンコ玉Ｐは、衝撃緩衝材料からなる玉受部３８に落下したのち、そのほとんどが玉流通路４１に設けた開口４２まで転動して、この開口４２から流下する。流下するパチンコ玉Ｐは、副ホース４３を通じて玉受皿４７の受皿部５２に受け入れられて滞留する。この際、副ホース４３での落差が小さいため、受皿部５２に与える落下時の衝撃は小さい。そして、受皿部５２にパチンコ玉Ｐが一旦滞留したのちは、このパチンコ玉Ｐの上に後続のパチンコ玉Ｐが落下するようになるので、受皿部５２の損耗を防止することができる。
【００２９】
やがて、受皿部５２に受容しきれなくなったパチンコ玉Ｐは、第１下部貯留タンク２３の底板２５に溢れ出す。このとき、パチンコ玉Ｐは、流れるように溢れ出るだけであるから、底板２５に与える打撃はほとんどない。溢れ出たパチンコ玉Ｐは、傾斜する底板２５を下流側から敷き詰めるように貯留されていく。
【００３０】
図４は、パチンコ玉Ｐの貯留が進んだ状況を表している。底板２５がパチンコ玉Ｐによって埋め尽くされたのちは、玉の流動が鈍くなり、玉受皿４７の周囲にパチンコ玉Ｐが堆積するようになる。そのうち、堆積したパチンコ玉Ｐの山も大きく崩れなくなると、やがて副ホース４３の中まで満杯となる。主ホース３５を流下する新たなパチンコ玉Ｐは、玉流通路４１の開放された一側より流出するしかなくなる。流出したパチンコ玉Ｐは、傾斜する転動レール５３の上面を下流方向に転動するのだが、転動レール５３が平板であることから、パチンコ玉Ｐは平板の側縁から落下する。このとき、第１下部貯留タンク２３の底部は、すでに貯留されたパチンコ玉Ｐで満たされているから、転動レール５３から落下するパチンコ玉Ｐが、タンクの底板２５を直撃することはない。
【００３１】
パチンコ玉Ｐの転動レール５３の側縁からの落下位置は一定しないから、前述のように上流となる玉受皿４７周辺にパチンコ玉Ｐの山が形成されたのちは、その下流側にある程度均された状態でパチンコ玉Ｐが貯留されることとなり、従来のように貯留タンクの下流にパチンコ玉Ｐの貯留が偏るということがない。
【図面の簡単な説明】
【００３２】
【図１】パチンコ島の外観を示す正面図である。
【図２】本発明パチンコ玉流下管の下部斜視図である。
【図３】本発明パチンコ玉流下管および貯留タンクの使用状態の一場面を表わす斜視図である。
【図４】使用状態の他の一場面を表わす斜視図である。
【符号の説明】
【００３３】
１０  パチンコ島
１５  揚送研磨塔
１６  上部貯留タンク
１８  補給樋
２０  エンドホース（パチンコ玉流下管）
２１  オーバーフローホース（パチンコ玉流下管）
２３  第１下部貯留タンク（貯留タンク）
２４  第２下部貯留タンク（貯留タンク）
２５  底板
２６  リフター
２７  アウトレール
３５  主ホース（主流下管）
３６  ケース
３８  玉受部
４１  玉流通路
４２  開口
４３  副ホース（副流下管）
４４，４５，４６  衝撃緩衝板
４７  玉受皿
５２  受皿部
５３  転動レール
Ｐ  パチンコ玉
【図１】
2008142215.tif 000003
【図２】
2008142215.tif 000004
【図３】
2008142215.tif 000005
【図４】
2008142215.tif 000006